(57)【要約】【課題】  セキュリティ眼鏡とセキュリティディスプレイを含む、セキュリティディスプレイシステムを提供する。【解決手段】  セキュリティディスプレイは、ノイズ画像発生器、同期パケット発生器、ディスプレイ装置、そして非対称画像発生器を有している。ノイズ画像発生器は、ノーマル画像信号に応じてノイズ画像信号を発生する。同期パケット発生器は、セキュリティ眼鏡に対して同期パケットを出力する。ディスプレイ装置は、眼鏡開期間においてはノーマル画像信号に応じてノーマル画像を表示し、眼鏡閉期間においてはノイズ画像信号に応じてノイズ画像を表示する。非対称画像発生器は、眼鏡開期間においてノーマル画像を表示するときに第一の輝度インテグラルに対応し、眼鏡閉期間においてノイズ画像を表示するときには第二の輝度インテグラルに対応する。第二の輝度インテグラルは、第一の輝度インテグラルよりも大きい。【選択図】図５
2012252331.tif 000002
【特許請求の範囲】
【請求項１】
ディスプレイであって：
ノーマル画像信号に応じてノイズ画像信号を生成するノイズ画像発生器；
前記ノーマル画像信号と前記ノイズ画像信号に応じて眼鏡に対して同期パケットを出力する同期パケット発生器；
眼鏡開期間において前記ノーマル画像信号に応じてノーマル画像を表示し、眼鏡閉期間において前記ノイズ画像信号に応じてノイズ画像を表示するディスプレイ装置；および
前記眼鏡開期間においてノーマル画像を表示するときには第一の輝度インテグラルに対応し、前記眼鏡閉期間においてノイズ画像を表示するときには第二の輝度インテグラルに対応するよう前記ディスプレイをコントロールし、前記第二の輝度インテグラルは前記第一の輝度インテグラルより大きい、非対称画像発生器、
を有する、
ことを特徴とするディスプレイ。
【請求項２】
前記第二の輝度インテグラルは、前記第一の輝度インテグラルの少なくとも４倍以上である、
請求項１に記載のディスプレイ。
【請求項３】
前記ノイズ画像は、それぞれの長さが３から３０ピクセルである複数の多角形のカラーブロックを含む、
請求項１に記載のディスプレイ。
【請求項４】
前記ディスプレイ装置はパネルとバックライトモジュールを有し、該バックライトモジュールは前記パネルに対してバックライトを提供し、前記非対称画像発生器は、前記第二の輝度インテグラルが前記第一の輝度インテグラルより大きくなるように、前記バックライトモジュールまたは前記パネルをコントロールする、
請求項１に記載のディスプレイ。
【請求項５】
前記眼鏡開期間はノーマル照明インターバルを含み、前記眼鏡閉期間はノイズ照明インターバルを含み、前記非対称画像発生器は前記ノーマル照明インターバルと前記ノイズ照明インターバルにおいてバックイライト輝度を調整するように前記バックライトモジュールをコントロールし、かつ、前記ノイズ照明インターバルは前記ノーマル照明インターバルより大きい、
請求項４に記載のディスプレイ。
【請求項６】
前記眼鏡開期間はノーマル照明インターバルを含み、前記眼鏡閉期間はノイズ照明インターバルを含んでおり、非対称画像発生器は、前記ノーマル照明インターバルにおいて第一のバックライト輝度を調整し、前記ノイズ照明インターバルにおいて第二のバックライト輝度を調整するように前記バックライトモジュールをコントロールし、前記第二の輝度インテグラルが前記第一の輝度インテグラルより大きく、かつ、前記ノイズ照明インターバルは前記ノーマル照明インターバルと同じである、
請求項４に記載のディスプレイ。
【請求項７】
前記眼鏡開期間はノーマル照明インターバルを含み、前記眼鏡閉期間は第一のノイズ照明インターバルおよび第二のノイズ照明インターバルを含み、非対称画像発生器は、前記ノーマル照明インターバルにおいて第一のバックライト輝度を、前記第一のノイズ照明インターバルにおいて第二のバックライト輝度を調整を、そして前記第二のノイズ照明インターバルにおいて第三のバックライト輝度を調整をするように前記バックライトモジュールをコントロールし、かつ、前記第三の輝度インテグラルは前記第一の輝度インテグラルより大きく、前記第一の輝度インテグラルは前記第二の輝度インテグラルより大きい、
請求項４に記載のディスプレイ。
【請求項８】
前記眼鏡開期間は複数のノーマル照明インターバルを含み、前記眼鏡閉期間は第一のノイズ照明インターバルおよび第二のノイズ照明インターバルを含み、非対称画像発生器は、前記ノーマル照明インターバルにおいて第一のバックライト輝度を、前記第一のノイズ照明インターバルにおいて第二のバックライト輝度を調整を、そして前記第二のノイズ照明インターバルにおいて前記第一のバックライト輝度を調整をするように前記バックライトモジュールをコントロールし、かつ、前記第二の輝度インテグラルは前記第一の輝度インテグラルより大きい、
請求項４に記載のディスプレイ。
【請求項９】
眼鏡であって：
同期パケットを受け取るレシーバー；
レンズ一式；
前記レンズ一式を駆動するドライブ回路；および
前記同期パケットに従って前記ドライブ回路をコントロールするマイクロコントローラー；
を有する、
ことを特徴とする眼鏡。
【請求項１０】
前記同期パケットは、同期コード、アドレスコード、モードコード、およびコマンドコードとを含み、前記眼鏡はさらに：
モードディスプレイ装置；
アドレスディスプレイ装置；および
前記アドレスコードが既定のアドレスと同じであるかどうかを決定し、前記同期コードに応じて前記マイクロコントローラーに対して同期信号を生成し、前記モードコードに応じて前記モードディスプレイコントローラーに対してモード信号を生成し、前記コマンドコードに応じて前記マイクロコントローラーに対してコマンド信号を生成し、かつ、前記アドレスディスプレイ装置によって前記アドレスコードを表示するために前記アドレスコードに応じて前記マイクロコントローラーに対してアドレス信号を出力するデコーダー；
を有する、
請求項９に記載の眼鏡。
【発明の詳細な説明】
【技術分野】
【０００１】
本特許出願は、２０１１年５月１３日出願の台湾特許出願第１００１１６９２３号の優先権を主張する。重要事項は、ここにおいて参考として組み入れられている。
【０００２】
本発明は一般的にはディスプレイに関するものであり、より詳細には、セキュリティ  ディスプレイ及びセキュリティ眼鏡に関するものである。
【背景技術】
【０００３】
ディスプレイ技術が進歩するにつれて、パーソナルモバイルデジタルアシスタント機器、ラップトップコンピューター、タブレットコンピューター、そしてテレビのディスプレイ装置は、日常生活において不可欠なものとなってきた。しかしながら、これらの装置によって表示される情報は極めて機密性が高いものであり、こうした機密情報の開示は事実上望ましくない。従って、他人からの望まれざる覗き見を防止するディスプレイ技術が必要となる。
【０００４】
例えば、台湾特許出願第０９４１３４５５９号は、タッチ入力と、共同ビュー領域（ｃｏｍｍｕｎｉｔｙ  ｖｉｅｗｉｎｇ  ｒｅｇｉｏｎ）と、対応するユーザーの位置からしか見ることのできない複数の所定のユーザー領域、とを取り込んだディスプレイシステムを開示している。本発明に係るシステムは、複数のユーザーが共通のディスプレイ領域を見ることができ、ユーザー自身の所定のディスプレイ領域を見ることができる一方で、そのユーザーの位置からは他のユーザーの所定のディスプレイ領域を見ることはできないということが望ましいアプリケーションにおいて、特に有益である。本発明に係るシステムは、ユーザーがタッチ入力を介してシステムと相互作用できることが望ましいアプリケーションにおいても、特に有益である。本発明により提供される種々の利益を利用するアプリケーションの例には、全てのプレーヤーは共通のゲーム情報を見ることができ、各プレーヤーは各人に特有のゲーム情報を個人的に見ることができる、といった複数プレーヤーのゲームを含む。
【先行技術文献】
【特許文献】
【０００５】
【特許文献１】台湾特許出願第０９４１３４５５９号明細書
【発明の概要】
【発明が解決しようとする課題】
【０００６】
本発明は、セキュリティ  ディスプレイ及びセキュリティ眼鏡に向けたものである。
【課題を解決するための手段】
【０００７】
本発明の一つの特徴に従って、セキュリティディスプレイが提供される。セキュリティディスプレイは、ノイズ画像発生器（ｎｏｉｓｅ  ｉｍａｇｅ  ｇｅｎｅｒａｔｏｒ）、同期パケット発生器（ｓｙｎｃｈｒｏｎｏｕｓ  ｐａｃｋｅｔ  ｇｅｎｅｒａｔｏｒ）、ディスプレイ装置、そして非対称画像発生器（ｉｍａｇｅ  ａｓｙｍｍｅｔｒｙ  ｇｅｎｅｒａｔｏｒ）を有している。ノイズ画像発生器は、ノイズ画像信号を発生し、同期パケット発生器は、ノーマル（ｎｏｒｍａｌ）画像信号とノイズ画像信号に応じてセキュリティ眼鏡に対して同期パケットを出力する。ディスプレイ装置は、眼鏡開期間（ｇｌａｓｓｅｓ−ｏｐｅｎ  ｐｅｒｉｏｄ）においてはノーマル画像信号に応じてノーマル画像を表示し、眼鏡閉期間（ｇｌａｓｓｅｓ−ｓｈｕｔ  ｐｅｒｉｏｄ）においてはノイズ画像信号に応じてノイズ画像を表示する。非対称画像発生器は、眼鏡開期間においてノーマル画像を表示するときに第一の輝度インテグラル（ｂｒｉｇｈｔｎｅｓｓ  ｉｎｔｅｇｒａｌ）に対応するようにディスプレイ装置をコントロールし、そして、眼鏡閉期間においてノイズ画像を表示するときには第二の輝度インテグラルに対応するようにディスプレイ装置をコントロールする。第二の輝度インテグラルは、第一の輝度インテグラルよりも大きい値である。
【０００８】
本発明のさらに別の一つの特徴に従って、セキュリティ眼鏡が提供される。セキュリティ眼鏡は、受信器と、レンズ一式と、ドライブ回路と、マイクロコントローラーとを有している。受信器は同期パケットを受け取り、ドライブ回路はレンズ一式を駆動し、そしてマイクロコントローラーは同期パケットに従ってドライブ回路をコントロールする。
【０００９】
本発明に係る上記の又は他の特徴は、以下の、望ましいが限定的ではない実施例の詳細な記載に関して、より良く理解されよう。以下の記載は、添付の図面を参照して行われている。
【図面の簡単な説明】
【００１０】
【図１】図１は、機密保護ディスプレイシステムの模式図を示している。
【図２】図２は、機密保護ディスプレイシステムの模式図を示している。
【図３】図３は、第一のタイプのノイズ画像の模式図を示している。
【図４】図４は、第二のタイプのノイズ画像の模式図を示している。
【図５】図５は、セキュリティディスプレイの概略図を示している。
【図６】図６は、セキュリティディスプレイに係る方法についてフローチャトを示している。
【図７】図７は、セキュリティ眼鏡の模式図を示している。
【図８】図８は、同期コード、アドレスコード、モードコード、そして同期パケットのコマンドコードのテーブルリストを示している。
【図９】図９は、２次元（２Ｄ）セキュリティモードにおける、セキュリティ眼鏡の模式図を示している。
【図１０】図１０は、３次元（３Ｄ）セキュリティモードにおける、セキュリティ眼鏡の模式図を示している。
【図１１】図１１は、３次元（３Ｄ）ブロードキャストモードにおける、セキュリティ眼鏡の模式図を示している。
【図１２】図１２は、本発明の第一の実施例に従って、セキュリティディスプレイシステムの信号タイミングダイアグラムを示している。
【図１３】図１３は、本発明の第二の実施例に従って、セキュリティディスプレイシステムの信号タイミングダイアグラムを示している。
【図１４】図１４は、本発明の第三の実施例に従って、セキュリティディスプレイシステムの信号タイミングダイアグラムを示している。
【図１５】図１５は、本発明の第四の実施例に従って、セキュリティディスプレイシステムの信号タイミングダイアグラムを示している。
【図１６】図１６は、本発明の第五の実施例に従って、セキュリティディスプレイシステムの信号タイミングダイアグラムを示している。
【図１７】図１７は、本発明の第六の実施例に従って、セキュリティディスプレイシステムの信号タイミングダイアグラムを示している。
【図１８】図１８は、本発明の第七の実施例に従って、セキュリティディスプレイシステムの信号タイミングダイアグラムを示している。
【図１９】図１９は、本発明の第八の実施例に従って、セキュリティディスプレイシステムの信号タイミングダイアグラムを示している。
【図２０】図２０は、本発明の第九の実施例に従って、セキュリティディスプレイシステムの信号タイミングダイアグラムを示している。
【図２１】図２１は、本発明の第十の実施例に従って、セキュリティディスプレイシステムの信号タイミングダイアグラムを示している。
【図２２】図２２は、本発明の第十一の実施例に従って、セキュリティディスプレイシステムの信号タイミングダイアグラムを示している。
【図２３】図２３は、本発明の第十二の実施例に従って、セキュリティディスプレイシステムの信号タイミングダイアグラムを示している。
【図２４】図２４は、本発明の第十三の実施例に従って、ノーマル画像とノイズ画像とバックライトモジュール（ｂａｃｋｌｉｇｈｔ  ｍｏｄｕｌｅ）の模式図を示している。
【図２５】図２５は、本発明の第十四の実施例に従って、ノーマル画像とノイズ画像とバックライトモジュールの模式図を示している。
【図２６】図２６は、本発明の第十五の実施例に従って、ピクセル構造（ｐｉｘｅｌ  ｓｔｒｕｃｔｕｒｅ）の模式図を示している。
【図２７】図２７は、本発明の第十六の実施例に従って、ピクセル構造の模式図を示している。
【図２８】図２８は、本発明の第十七の実施例に従って、画像フィルターの模式図を示している。
【図２９】図２９は、本発明の第十八の実施例に従って、ノイズ画像信号の調整に係る模式図を示している。
【図３０】図３０は、２次元モード及び３次元モードにおけるセキュリティディスプレイのマッピングテーブルを示している。
【図３１】図３１は、２次元セキュリティモード及び３次元セキュリティモードにおけるセキュリティディスプレイのマッピングテーブルを示している。
【図３２】図３２は、フィルターによって偶数行のディスプレイラインを取り除いた後のディスプレイ画像に係る模式図を示している。
【図３３】図３３は、フィルターによって偶数列のディスプレイラインを取り除いた後のディスプレイ画像に係る模式図を示している。
【図３４】図３４は、本発明の第十八の実施例に従って、別のノイズ画像信号の調整に係る模式図を示している。
【図３５】図３５は、本発明の第十九の実施例に従って、セキュリティディスプレイシステムの信号タイミングダイアグラムを示している。
【発明を実施するための形態】
【００１１】
図１及び図２は、本発明の一つの実施例に従って、セキュリティディスプレイシステムの模式図を示している。セキュリティディスプレイシステム１は、セキュリティディスプレイ１１とセキュリティ眼鏡１２を有している。例えば、セキュリティ眼鏡１２は、２次元（２Ｄ）セキュリティ又は３次元（３Ｄ）セキュリティ用セキュリティ眼鏡である。セキュリティディスプレイ１１は、セキュリティディスプレイ１１とセキュリティ眼鏡１２の間の有線または無線のデータ通信手段を介して、セキュリティ眼鏡１２に対して同期パケットを出力する。対照的に、セキュリティ眼鏡１２が無いと、ユーザーはノーマル画像を観察することができず、セキュリティディスプレイ１１によって表示されるノイズ画像しか認識することができなくなる。従って、他人による、セキュリティディスプレイ１１によって表示される画像情報の望まれざる覗き見は、効果的に防止される。
【００１２】
例えば、図１には一つのセキュリティ眼鏡が示されているが、セキュリティディスプレイシステム１１は、一つのセキュリティ眼鏡のみを備えることに限定されるものではないということに留意すべきである。つまり、セキュリティディスプレイシステム１１は、複数のセキュリティ眼鏡に同時に適用することができる。例えば、セキュリティディスプレイシステム１１は、さらに一つのセキュリティ眼鏡１３を含む。従って、セキュリティ眼鏡１２をかけたユーザーはセキュリティディスプレイ１１によって表示されたノーマル画像を観察することができるし、セキュリティ眼鏡１３をかけたユーザーはセキュリティディスプレイ１１によって表示された別のノーマル画像を観察することができる。セキュリティ眼鏡１２または他のセキュリティ眼鏡が無ければ、ユーザーは、いかなるノーマル画像も観察することはできず、セキュリティディスプレイ１１によって表示されたノイズ画像が認識できるだけである。
【００１３】
図３は、第一のタイプのノイズ画像の模式図を示しており、図４は、第二のタイプのノイズ画像の模式図を示している。ノイズ画像は、種々のアプローチにより実現することができ、図３及び図４に図示された例に限定されないということに留意すべきである。さらに、ノイズ画像のパターンもまた、現実の要求によって望むように調整され得る。例えば、ノイズ画像は、数種類の異なった色彩であり、３から３０ピクセルまでの範囲の長さを有する、多角形のカラーブロックを有する。例えば、図３におけるノイズ画像は、白の四角形ブロック２１と、赤の四角形ブロック２２と、緑の四角形ブロック２３と、青の四角形ブロック２４と、シアンの四角形ブロック２５と、マゼンダの四角形ブロック２６と、黄色の四角形ブロック２７とを有し、それら全ての長さは３から３０ピクセルまでの間である。
【００１４】
図４におけるノイズ画像は、白の六角形ブロック４１と、赤の六角形ブロック４２と、緑の六角形ブロック４３と、青の六角形ブロック４４と、シアンの六角形ブロック４５と、マゼンダの六角形ブロック４６と、黄色の六角形ブロック４７とを有し、それら全ての長さは３から３０ピクセルまでの間である。
【００１５】
図５は、セキュリティディスプレイの模式図を示している。図６は、セキュリティディスプレイに係る方法のフローチャートを示している。セキュリティディスプレイ１１は、ノイズ画像発生器１１１と、同期パケット発生器１１２と、ディスプレイ装置１１３と、非対称画像発生器１１４とを有している。ノイズ画像発生器１１１と同期パケット発生器１１２と非対称画像発生器１１４は、例えば、タイミングコントローラー又はマイクロコントローラーにより実現される。上述のセキュリティディスプレイシステム１に適用できる、セキュリティディスプレイに係る方法は、以下のステップを有している。ステップ３１においては、ノイズ画像発生器１１は、ノーマル画像信号Ｓ１からＳｎに応じてノイズ画像信号Ｎ１からＮｎまでを生成する。ステップ３２においては、ノーマル画像信号Ｓ１からＳｎとノイズ画像信号Ｎ１からＮｎまでに従って、非対称画像発生器１１４は、セキュリティ眼鏡１２に対して同期パケットＰを出力するために、同期パケット発生器１１２をコントロールする。より詳細には、非対称画像発生器１１４は、ノーマル画像信号Ｓ１からＳｎとノイズ画像信号Ｎ１からＮｎに応じて、アドレスコードＡｄｄ（ｎ）とモードコードＭｏｄを生成する。そして、同期パケット発生器１１２は、アドレスコードＡｄｄ（ｎ）とモードコードＭｏｄに応じて、同期パケットＰを生成する。
【００１６】
ステップ３３においては、ディスプレイ装置１１３は、眼鏡開期間においてはノーマル画像信号Ｓ１からＳｎに応じてノーマル画像を表示し、眼鏡閉期間においてはノイズ画像信号Ｎ１からＮｎに応じてノイズ画像を表示する。非対称画像発生器１１４は、眼鏡開期間においてノーマル画像を表示しているときには第一の輝度インテグラルに対応するようにディスプレイ装置１１３をコントロールし、眼鏡閉期間においてノイズ画像を表示しているときには第二の輝度インテグラルに対応するようにディスプレイ装置１１３をコントロールする。第二の輝度インテグラルは、第一の輝度インテグラルの値より大きい。おそらくは、第二の輝度インテグラルの値は、第一の輝度インテグラルの値の４倍である。
【００１７】
さらに、ディスプレイ装置１１３は、パネル１１３１とバックライトモジュール１１３２を有している。バックライトモジュール１１３２は、パネル１１３１に対してバックライトを提供する。非対称画像発生器１１４は、第二の輝度インテグラルの値が第一の輝度インテグラルの値より大きくなるように、パネル１１３１又はバックライトモジュール１１３２をコントロールする。第二の輝度インテグラルの値を第一の輝度インテグラルの値より大きくするためには、種々のアプローチがある。例えば、非対称画像発生器１１４は、ノイズ画像の表示期間をコントロールしてノーマル画像の表示時間よりも長くする。代替的には、非対称画像発生器１１４は、ノイズ画像の表示頻度をコントロールしてノーマル画像の表示頻度より高くする。加えて、非対称画像発生器１１４は、ノイズ画像のバックライト輝度をコントロールしてノーマル画像のバックライト輝度より大きくする。代替的には、ピクセル構造に４番目の色彩のサブピクセル（ｓｕｂ−ｐｉｘｅｌ）を追加するよう設計することにより、ノイズ画像が表示されるときにノイズ画像の画像輝度が増加する。さらに、非対称画像発生器１１４はまた、パーティションにおいてバックライトモジュール１１３２をコントロールし、異なったバックライト領域においては異なったバックライト輝度を生成している。
【００１８】
以下の記述は、図５、３０及び３１に関するものである。図３０は、２Ｄモード及び３Ｄモードにおけるセキュリティディスプレイ１１のマッピングテーブルを示している。セキュリティディスプレイ１１は、２Ｄモード、３Ｄモード、２Ｄセキュリティモード、３Ｄセキュリティモード、の中で選択的に動作可能である。非対称画像発生器１１４により出力されたモードコードＭｏｄは、セキュリティディスプレイ１１が、２Ｄモード、３Ｄモード、２Ｄセキュリティモード、３Ｄセキュリティモード、のどのモードで動作しているかを示す。非対称画像発生器１１４により出力されたアドレスコードＡｄｄ（ｎ）は、ノーマル画像信号Ｓ１からＳｎに対応している。ノーマル画像信号Ｓ１からＳｎが非対称画像発生器１１４に連続的に入力されたときには、非対称画像発生器１１４は１からｎまでのアドレスコードＡｄｄ（ｎ）を連続的に出力する。ノーマル画像信号Ｓ１からＳｎに応じて、非対称画像発生器１１４はノーマル画像Ｆ（Ｓ１）からＦ（Ｓｎ）を連続的に表示する。非対称画像発生器１１４が、ノーマル画像信号Ｓ１からＳｎに応じてノーマル画像Ｆ（Ｓ１）からＦ（Ｓｎ）を表示するときには、非対称画像発生器１１４は、０のアドレスコードＡｄｄ（ｎ）を出力する。
【００１９】
アドレスコードＡｄｄ（ｎ）に応じて、非対称画像発生器１１４はアドレスコードＡｄｄを出力する。アドレスコードは、同期パケット発生器１１２が伝えたい相手のセキュリティ眼鏡のアドレスを示している。２Ｄモード又は２Ｄセキュリティモードでセキュリティ眼鏡が動作しているときは、アドレスコードＡｄｄとアドレスコードＡｄｄ（ｎ）は同一である。３Ｄモード又は３Ｄセキュリティモードでセキュリティ眼鏡が動作しているときは、アドレスコードＡｄｄはアドレスコードＡｄｄ（ｎ）の半分である。ノーマル画像Ｆ（Ｓ１）からＦ（Ｓｎ）は、それぞれ左画像と右画像を含んでいるからである。コマンドコードＣｍｄは、対応するセキュリティ眼鏡１２の開閉をコントロールする。
【００２０】
ノーマル画像Ｆ（Ｓ１）からＦ（Ｓｎ）は、異なるユーザーによって、それぞれ観察でき得ることに留意すべきである。セキュリティ眼鏡は、アドレスコードＡｄｄに応じて専用パケットを受け取り、同様にコマンドコードＣｍｄに応じてレンズの開閉をコントロールする。このように、それぞれのユーザーは一つのセキュリティディスプレイ上で、異なるノーマル画像を観察することができる。
【００２１】
図７は、セキュリティ眼鏡の模式図を示している。図８は、同期パケットの同期コード（ｓｙｎｃｈｒｏｎｏｕｓ  ｃｏｄｅ）、アドレスコード（ａｄｄｒｅｓｓ  ｃｏｄｅ）、モードコード（ｍｏｄｅ  ｃｏｄｅ）、そしてコマンドコード（ｃｏｍｍａｎｄ  ｃｏｄｅ）をリストしたテーブルを示している。セキュリティ眼鏡１２は、レシーバー１２１と、レジスター１２２と、デコーダー１２３と、マイクロコントローラー１２４と、モードディスプレイ機器１２５と、アドレス表示機器１２６と、ドライブ回路１２７と、レンズ一式１２８とを、含んでいる。同期パケットＰは、同期コードＳｙｎｃと、アドレスコードＡｄｄと、モードコードＭｏｄと、コマンドコードＣｍｄとを、含んでいる。
【００２２】
モードコードＭｏｄの０ｘ００は、セキュリティ眼鏡が３Ｄモードにいることを示している。モードコードＭｏｄの０ｘ０１は、セキュリティ眼鏡が３Ｄセキュリティモードにいることを示している。モードコードＭｏｄの０ｘ１０は、セキュリティ眼鏡が２Ｄモードにいることを示している。モードコードＭｏｄの０ｘ１１は、セキュリティ眼鏡が２Ｄセキュリティモードにいることを示している。
【００２３】
コマンドコードＣｍｄの０ｘ００は、右側レンズ１２８１と左側レンズ１２８２の両方が閉（ｓｈｕｔ）であることを示している。コマンドコードＣｍｄの０ｘ１１は、右側レンズ１２８１と左側レンズ１２８２の両方が開（ｏｐｅｎ）であることを示している。コマンドコードＣｍｄの０ｘ０１は、左側レンズ１２８２が閉で右側レンズ１２８１が開であることを示している。コマンドコードＣｍｄの０ｘ１０は、左側レンズ１２８２が開で右側レンズ１２８１が閉であることを示している。
【００２４】
レジスター１２２は、既定のアドレスを保管する。例えば、既定の眼鏡アドレスと既定のブロードキャストアドレスである。アドレスコードＡｄｄがセキュリティ眼鏡１２の既定の眼鏡アドレスと一致するときは、セキュリティディスプレイ１１によって表示されたノーマル画像が、セキュリティ眼鏡１２を通して観察され得ることを意味している。対照的に、セキュリティディスプレイ１１によって表示されたノーマル画像は、アドレスコードＡｄｄと異なる既定の眼鏡アドレスを持った他のセキュリティ眼鏡１２を通しては観察することができない。アドレスコードＡｄｄがセキュリティ眼鏡１２の既定のブロードキャスアドレスと一致するときは、セキュリティディスプレイ１１によって表示されたノーマル画像はセキュリティ眼鏡１２を通して観察し得ること、一方、セキュリティディスプレイ１１によって表示されたノーマル画像が、同じ既定のブロードキャスアドレスを有する他のセキュリティ眼鏡を通しても観察し得ることを意味している。説明目的のために以下の記述においては、０ｘ００と０ｘ０１が、それぞれセキュリティ眼鏡１２の既定のブロードキャストアドレス及び既定の眼鏡アドレスの例として捉えられている。
【００２５】
例えば、レシーバー１２１は、同期パケットＰを受け取るための有線または無線の受信器である。ディテクター１２３は、アドレスコードＡｄｄが既定のブロードキャストアドレス０ｘ００または既定の眼鏡アドレス０ｘ０１と同一であるかどうかを決定する。アドレスコードＡｄｄが既定の眼鏡アドレス０ｘ０１と同一であるとき、ディテクター１２３は、マイクロコントローラー１２４に対してコマンドコードに応じたコマンド信号を出力し、ディスプレイ機器１２５に対してモードコードに応じたモード信号を出力する。さらに、ディテクター１２３は、アドレス表示機器１２６においてアドレスを表示するために、マイクロコントローラー１２４に対してアドレスコード１２４に応じたアドレス信号を出力する。マイクロコントローラー１２４は、コマンド信号に応じてドライブ回路１２７をコントロールする。さらに、ドライブ回路１２７は、右側レンズドライバー１２７１と、左側レンズドライバー１２７２と、右側レンズ１２８１と左側レンズ１２８２を有するレンズ一式１２８とを、含んでいる。右側レンズドライバー１２７１と左側レンズドライバー１２７２は、それぞれ右側レンズ１２８１と左側レンズ１２８２を駆動する。マイクロコントローラー１２４は、コマンド信号に応じて右側レンズドライバー１２７１と左側レンズドライバー１２７２をコントロールして、右側レンズ１２８１と左側レンズ１２８２を同様に開閉する。
【００２６】
図９は、２Ｄセキュリティモードにおけるセキュリティ眼鏡の模式図である。セキュリティ眼鏡１３とセキュリティ眼鏡１２の主な相違点は、セキュリティ眼鏡１３の既定の眼鏡アドレスは０ｘ０２である一方、セキュリティ眼鏡１２の既定の眼鏡アドレスは０ｘ０１であることである。同期パケットＰの、同期コードＳｙｎｃ、アドレスコードＡｄｄ、モードコードＭｏｄ、そしてコマンドコードＣｍｄは、それぞれ０ｘ５５、０ｘ０１、０ｘ１１、そして０ｘ１１である。アドレスコードＡｄｄと既定の眼鏡アドレスが共に０ｘ０１であるときは、同期パケットＰがセキュリティ眼鏡１２のためのものであることを意味する。モードコードＭｏｄの０ｘ１１は、２Ｄセキュリティモードを示し、コマンドコードＣｍｄの０ｘ１１は、右側レンズ１２８１と左側レンズ１２８２の両方が開であることを示している。マイコロコントロラー１２４は、コマンドコードＣｍｄに応じて右側レンズ１２８１と左側レンズ１２８２のそれぞれを駆動するように、右側レンズドライバー１２７１と左側レンズドライバー１２７２をコントロールする。
【００２７】
一方、セキュリティ眼鏡１３の既定の眼鏡アドレスが０ｘ０２であり、アドレスコードＡｄｄが０ｘ０１であるときは、同期パケットＰはセキュリティ眼鏡１３専用のものではないことを意味する。同期パケットＰがセキュリティ眼鏡１３専用のものではないので、デコーダー１２３は０ｘ００を出力し、マイコロコントロラー１２４に対して、右側レンズ１２８１と左側レンズ１２８２のそれぞれを閉じるように、右側レンズドライバー１２７１と左側レンズドライバー１２７２をコントロールするように促す。そのため、ユーザーは、既定の眼鏡アドレスと既定のブロードキャストアドレスがアドレスコードＡｄｄと同一であるときにしか、セキュリティ眼鏡を通してノーマル画像を観察することが許されない。そうして、表示されたデータのセキュリティが増加する。
【００２８】
図１０は、３Ｄセキュリティモードにおけるセキュリティ眼鏡の模式図である。図１０と図９の主な相違点は、図１０における同期パケットＰの、同期コードＳｙｎｃ、アドレスコードＡｄｄ、モードコードＭｏｄ、そしてコマンドコードＣｍｄが、それぞれ０ｘ５５、０ｘ０１、０ｘ０１、そして０ｘ０１となっていることである。モードコードの０ｘ０１は３Ｄセキュリティモードを示しており、コマンドコードＣｍｄの０ｘ０１は右側レンズ１２８１が開で左側レンズ１２８２が閉であることを示している。
【００２９】
アドレスコードＡｄｄと既定の眼鏡アドレスが共に０ｘ０１であるときは、同期パケットＰがセキュリティ眼鏡１２専用のものであることを示している。デコーダー１２３はコマンドコードＣｍｄに応じてマイコロコントロラー１２４に対してコマンド信号を出力する。マイコロコントロラー１２４は、コマンド信号に応じて右側レンズ１２８１を開けるように右側レンズドライバー１２７１をコントロールし、コマンド信号に応じて左側レンズ１２８２を閉じるように左側レンズドライバー１２７２コントロールする。
【００３０】
一方、セキュリティ眼鏡１３の既定の眼鏡アドレスが０ｘ０２であり、アドレスコードＡｄｄが０ｘ０１であるときは、同期パケットＰはセキュリティ眼鏡１３専用のものではないことを意味する。同期パケットＰがセキュリティ眼鏡１３専用のものではないので、デコーダー１２３は０ｘ００を出力し、マイコロコントロラー１２４に対して、右側レンズ１２８１と左側レンズ１２８２のそれぞれを閉じるように、右側レンズドライバー１２７１と左側レンズドライバー１２７２をコントロールするように促す。そのため、ユーザーは、既定の眼鏡アドレスと既定のブロードキャストアドレスがアドレスコードＡｄｄと同一であるときにしか、セキュリティ眼鏡を通してノーマル画像を観察することが許されない。そうして、表示されたデータのセキュリティが増加する。
【００３１】
図１１は、３Ｄブロードキャストモードにおけるセキュリティ眼鏡の模式図である。図１１と図１０の主な相違点は、図１１における同期パケットＰの、同期コードＳｙｎｃ、アドレスコードＡｄｄ、モードコードＭｏｄ、そしてコマンドコードＣｍｄが、それぞれ０ｘ５５、０ｘ００、０ｘ００、そして０ｘ０１となっていることである。モードコードの０ｘ００は３Ｄブロードキャストモードを示しており、コマンドコードＣｍｄの０ｘ０１は右側レンズ１２８１が開で左側レンズ１２８２が閉であることを示している。
【００３２】
アドレスコードＡｄｄと既定の眼鏡アドレスが共に０ｘ０１であるときは、同期パケットＰがセキュリティ眼鏡１２専用のものであることを示している。デコーダー１２３はコマンドコードＣｍｄに応じてマイコロコントロラー１２４に対してコマンド信号を出力する。セキュリティ眼鏡１２のマイコロコントロラー１２４は、コマンド信号に応じて右側レンズ１２８１を開けるように右側レンズドライバー１２７１をコントロールし、コマンド信号に応じて左側レンズ１２８２を閉じるように左側レンズドライバー１２７２コントロールする。
【００３３】
同様に、アドレスコードＡｄｄと既定の眼鏡アドレスが共に０ｘ００であるときは、同期パケットＰは、またセキュリティ眼鏡１３専用のものであることを示している。セキュリティ眼鏡１３のデコーダー１２３はコマンドコードＣｍｄに応じてマイコロコントロラー１２４に対してコマンド信号を出力する。セキュリティ眼鏡１３のマイコロコントロラー１２４は、コマンド信号に応じて右側レンズ１２８１を開けるように右側レンズドライバー１２７１をコントロールし、コマンド信号に応じて左側レンズ１２８２を閉じるように左側レンズドライバー１２７２コントロールする。このように、セキュリティ眼鏡１２およびセキュリティ眼鏡１３をかけたユーザー達は、共にセキュリティディスプレイ上に表示されたノーマル画像を観察することができる。
＜第一の実施例＞
【００３４】
以下の記載は、図５および図１２に関するものである。図１２は、本発明の第一の実施例に従って、セキュリティディスプレイシステムのシグナルタイミングダイアグラムを示している。第一の実施例においては、ノーマル画像の表示周波数Ｆ（Ｓ）（ｄｉｓｐｌａｙ  ｆｒｅｑｕｅｎｃｙ）とノイズ画像の表示周波数Ｆ（Ｎ）は同一である。非対称画像発生器１１４は、ノイズ画像の表示期間（ｄｉｓｐｌａｙ  ｐｅｒｉｏｄ）をノーマル画像の表示期間よりも大きくなるようにコントロールする。第二の輝度インテグラルが第一の輝度インテグラルよりも大きくなるようにするためである。ノーマル画像の表示期間よりもノイズ画像の表示期間を大きくするために、非対称画像発生器１１４は、眼鏡閉期間Ｔｏｆｆにおけるバックライトモジュール１１３２のノイズ照明インターバルｔｂ（ｎｏｉｓｅ  ｌｉｇｈｔｉｎｇ  ｉｎｔｅｒｖａｌ）を、眼鏡開期間Ｔｏｎにおけるバックライトモジュール１１３２のノーマル照明インターバルｔａ（ｎｏｒｍａｌ  ｌｉｇｈｔｉｎｇ  ｉｎｔｅｒｖａｌ）よりも大きくなるようにコントロールする。図１２においては、眼鏡開期間Ｔｏｎはノーマル照明インターバルｔａを含んでおり、眼鏡閉期間Ｔｏｆｆはノイズ照明インターバルｔｂを含んでいる。非対称画像発生器１１４は、バックライトモジュール１１３２をコントロールして、ノイズ照明インターバルｔｂがノーマル照明インターバルｔａよりも大きくなるように、ノーマル照明インターバルｔａとノイズ照明インターバルｔｂにおけるバックライト輝度ＢＬ１を管理する。
【００３５】
図１２においては、第一の輝度インテグラルは、バックライト輝度ＢＬ１とノーマル照明インターバルｔａの積に等しい、そして、第二の輝度インテグラルは、バックライト輝度ＢＬ１とノイズ照明インターバルｔｂの積に等しい。ノイズ照明インターバルｔｂがノーマル照明インターバルｔａよりも大きいために、第一の輝度インテグラルよりも大きい第二の輝度インテグラルが達成される。
＜第二の実施例＞
【００３６】
以下の記載は、図５および図１３に関するものである。図１３は、本発明の第二の実施例に従って、セキュリティディスプレイシステムのシグナルタイミングダイアグラムを示している。第一の実施例と第二の実施例との主な相違点は、第二の実施例における眼鏡開期間Ｔｏｎが複数のノーマル照明インターバルｔａを含むことである。第二の実施例においては、ノーマル画像の表示周波数Ｆ（Ｓ）はノイズ画像の表示周波数Ｆ（Ｎ）より大きい。非対称画像発生器１１４は、ノイズ画像の表示期間をノーマル画像の表示期間よりも大きくなるようにコントロールする。第二の輝度インテグラルが第一の輝度インテグラルよりも大きくなるようにするためである。ノーマル画像の表示期間よりもノイズ画像の表示期間を大きくするために、非対称画像発生器１１４は、バックライトモジュール１１３２をコントロールして、ノイズ照明インターバルｔｂが全てのノーマル照明インターバルｔａの合計よりも大きくなるように、ノーマル照明インターバルｔａとノイズ照明インターバルｔｂにおけるバックライト輝度ＢＬ１を調整する。
【００３７】
図１３においては、第一の輝度インテグラルは、バックライト輝度ＢＬ１と全てのノーマル照明インターバルｔａの積に等しい、そして、第二の輝度インテグラルは、バックライト輝度ＢＬ１とノイズ照明インターバルｔｂの積に等しい。ノイズ照明インターバルｔｂが全てのノーマル照明インターバルｔａの合計よりも大きいために、第一の輝度インテグラルよりも大きい第二の輝度インテグラルが達成される。
＜第三の実施例＞
【００３８】
以下の記載は、図５および図１４に関するものである。図１４は、本発明の第三の実施例に従って、セキュリティディスプレイシステムのシグナルタイミングダイアグラムを示している。第一の実施例と第三の実施例との主な相違点は、第三の実施例における眼鏡閉期間Ｔｏｆｆが複数のノイズ照明インターバルｔｂを含むことである。第三の実施例においては、ノーマル画像の表示周波数Ｆ（Ｓ）はノイズ画像の表示周波数Ｆ（Ｎ）より小さい。非対称画像発生器１１４は、ノイズ画像の表示期間をノーマル画像の表示期間よりも大きくなるようにコントロールする。第二の輝度インテグラルが第一の輝度インテグラルよりも大きくなるようにするためである。ノーマル画像の表示期間よりもノイズ画像の表示期間を大きくするために、非対称画像発生器１１４は、バックライトモジュール１１３２をコントロールして、ノイズ照明インターバルｔｂの合計がノーマル照明インターバルｔａよりも大きくなるように、ノーマル照明インターバルｔａとノイズ照明インターバルｔｂにおけるバックライト輝度ＢＬ１を調整する。
【００３９】
図１４においては、第一の輝度インテグラルは、バックライト輝度ＢＬ１とノーマル照明インターバルｔａの積に等しい、そして、第二の輝度インテグラルは、バックライト輝度ＢＬ１と全てのノイズ照明インターバルｔｂの積に等しい。ノイズ照明インターバルｔｂの合計がノーマル照明インターバルｔａよりも大きいために、第一の輝度インテグラルよりも大きい第二の輝度インテグラルが達成される。
＜第四の実施例＞
【００４０】
以下の記載は、図５および図１５に関するものである。図１５は、本発明の第四の実施例に従って、セキュリティディスプレイシステムのシグナルタイミングダイアグラムを示している。第四の実施例と第一の実施例との主な相違点は、非対称画像発生器１１４が、バックライトモジュール１１３２をコントロールして、ノーマル照明インターバルｔａにおけるバックライト輝度ＢＬ１とノイズ照明インターバルｔｂにおけるバックライト輝度ＢＬ２を調整することである。第四の実施例においては、ノーマル画像の表示周波数Ｆ（Ｓ）はノイズ画像の表示周波数Ｆ（Ｎ）と同じである。非対称画像発生器１１４は、ノイズ画像のバックライト輝度ＢＬ２をノーマル画像のバックライト輝度ＢＬ１よりも大きくなるようにコントロールする。第二の輝度インテグラルが第一の輝度インテグラルよりも大きくなるようにするためである。ノーマル画像のバックライト輝度ＢＬ１よりもノイズ画像のバックライト輝度ＢＬ２を大きくするために、非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２を調整する。
【００４１】
図１５においては、第一の輝度インテグラルは、バックライト輝度ＢＬ１とノーマル照明インターバルｔａの積に等しい、そして、第二の輝度インテグラルは、バックライト輝度ＢＬ２とノイズ照明インターバルｔｂの積に等しい。バックライト輝度ＢＬ１とノーマル照明インターバルｔａの積が、バックライト輝度ＢＬ２とノイズ照明インターバルｔｂの積よりも小さいために、第一の輝度インテグラルよりも大きい第二の輝度インテグラルが達成される。
＜第五の実施例＞
【００４２】
以下の記載は、図５および図１６に関するものである。図１６は、本発明の第五の実施例に従って、セキュリティディスプレイシステムのシグナルタイミングダイアグラムを示している。第五の実施例と第二の実施例との主な相違点は、非対称画像発生器１１４が、バックライトモジュール１１３２をコントロールして、ノーマル照明インターバルｔａにおけるバックライト輝度ＢＬ１とノイズ照明インターバルｔｂにおけるバックライト輝度ＢＬ２を調整することである。第五の実施例においては、ノーマル画像の表示周波数Ｆ（Ｓ）はノイズ画像の表示周波数Ｆ（Ｎ）より大きい。非対称画像発生器１１４は、ノイズ画像のバックライト輝度ＢＬ２をノーマル画像のバックライト輝度ＢＬ１よりも大きくなるようにコントロールする。第二の輝度インテグラルが第一の輝度インテグラルよりも大きくなるようにするためである。ノーマル画像のバックライト輝度ＢＬ１よりもノイズ画像のバックライト輝度ＢＬ２を大きくするために、非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２を調整する。
【００４３】
図１６においては、第一の輝度インテグラルは、バックライト輝度ＢＬ１と全てのノーマル照明インターバルｔａの積に等しい、そして、第二の輝度インテグラルは、バックライト輝度ＢＬ２とノイズ照明インターバルｔｂの積に等しい。バックライト輝度ＢＬ２とノイズ照明インターバルｔｂの積が、バックライト輝度ＢＬ１と全てのノーマル照明インターバルｔａの積よりも大きいために、第一の輝度インテグラルよりも大きい第二の輝度インテグラルが達成される。
＜第六の実施例＞
【００４４】
以下の記載は、図５および図１７に関するものである。図１７は、本発明の第六の実施例に従って、セキュリティディスプレイシステムのシグナルタイミングダイアグラムを示している。第六の実施例と第三の実施例との主な相違点は、非対称画像発生器１１４が、バックライトモジュール１１３２をコントロールして、バックライト輝度ＢＬ２がバックライト輝度ＢＬ１よりも小さいように、ノーマル照明インターバルｔａにおけるバックライト輝度ＢＬ１とノイズ照明インターバルｔｂにおけるバックライト輝度ＢＬ２を調整することである。第六の実施例においては、ノイズ画像のバックライト輝度ＢＬ２はノーマル画像のバックライト輝度ＢＬ１より小さいにもかかわらず、非対称画像発生器１１４は、ノイズ画像の表示周波数Ｆ（Ｎ）をノーマル画像の表示周波数Ｆ（Ｓ）より大きくなるようにコントロールする。第二の輝度インテグラルが第一の輝度インテグラルよりも大きくなるようにするためである。ノーマル画像のバックライト輝度ＢＬ１よりもノイズ画像のバックライト輝度ＢＬ２を大きくするために、非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２を調整する。
【００４５】
図１７においては、第一の輝度インテグラルは、バックライト輝度ＢＬ１とノーマル照明インターバルｔａの積に等しい、そして、第二の輝度インテグラルは、バックライト輝度ＢＬ２と全てのノイズ照明インターバルｔｂの積に等しい。バックライト輝度ＢＬ２と全てのノイズ照明インターバルｔｂの積が、バックライト輝度ＢＬ１とノーマル照明インターバルｔａの積よりも大きいために、第一の輝度インテグラルよりも大きい第二の輝度インテグラルが達成される。
＜第七の実施例＞
【００４６】
以下の記載は、図５および図１８に関するものである。図１８は、本発明の第七の実施例に従って、セキュリティディスプレイシステムのシグナルタイミングダイアグラムを示している。第七の実施例と第四の実施例との主な相違点は、非対称画像発生器１１４が、さらに、バックライトモジュール１１３２をコントロールして、ノイズ照明インターバルｔｃにおけるバックライト輝度ＢＬ３を調整することである。バックライト輝度ＢＬ２はバックライト輝度ＢＬ１よりも大きく、バックライト輝度ＢＬ１はバックライト輝度ＢＬ３よりも大きい。第七の実施例においては、ノーマル画像の表示周波数Ｆ（Ｓ）はノイズ画像の表示周波数Ｆ（Ｎ）に等しい；すなわち、眼鏡開期間Ｔｏｎはノーマル照明インターバルｔａを含み、眼鏡閉期間Ｔｏｆｆはノイズ照明インターバルｔｂとノイズ照明インターバルｔｃを含む。非対称画像発生器１１４は、ノイズ照明インターバルｔｂにおけるノイズ画像のバックライト輝度ＢＬ２をノーマル画像のバックライト輝度ＢＬ１より大きくなるようにコントロールし、ノイズ照明インターバルｔｃにおけるノイズ画像のバックライト輝度ＢＬ３をノーマル画像のバックライト輝度ＢＬ１より小さくなるようにコントロールする。第二の輝度インテグラルが第一の輝度インテグラルよりも大きくなるようにするためである。ノーマル画像のバックライト輝度ＢＬ１よりもノイズ画像のバックライト輝度ＢＬ２を大きくするために、非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２とノイズ照明インターバルｔｃにおけるバックライト輝度ＢＬ３を調整する。バックライト輝度ＢＬ２はバックライト輝度ＢＬ１よりも大きく、バックライト輝度ＢＬ１はバックライト輝度ＢＬ３より大きい。
【００４７】
図１８においては、第一の輝度インテグラルは、バックライト輝度ＢＬ１とノーマル照明インターバルｔａの積に等しい、第二の輝度インテグラルは、バックライト輝度ＢＬ２とノイズ照明インターバルｔｂの積とバックライト輝度ＢＬ３とノイズ照明インターバルｔｃの積との合計に等しい。バックライト輝度ＢＬ２とノイズ照明インターバルｔｂの積とバックライト輝度ＢＬ３とノイズ照明インターバルｔｃの積との合計が、バックライト輝度ＢＬ１とノーマル照明インターバルｔａの積よりも大きいために、第一の輝度インテグラルよりも大きい第二の輝度インテグラルが達成される。
＜第八の実施例＞
【００４８】
以下の記載は、図５および図１９に関するものである。図１９は、本発明の第八の実施例に従って、セキュリティディスプレイシステムのシグナルタイミングダイアグラムを示している。第八の実施例と第四の実施例との主な相違点は、非対称画像発生器１１４が、さらに、バックライトモジュール１１３２をコントロールして、ノイズ照明インターバルｔｃにおけるバックライト輝度ＢＬ１を調整し、バックライト輝度ＢＬ２はバックライト輝度ＢＬ１よりも大きい、ことである。第八の実施例においては、ノーマル画像の表示周波数Ｆ（Ｓ）はノイズ画像の表示周波数Ｆ（Ｎ）よりも大きい；すなわち、眼鏡開期間Ｔｏｎはノーマル照明インターバルｔａを含み、眼鏡閉期間Ｔｏｆｆはノイズ照明インターバルｔｂとノイズ照明インターバルｔｃを含む。非対称画像発生器１１４は、ノイズ照明インターバルｔｂにおけるノイズ画像のバックライト輝度ＢＬ２をノーマル照明インターバルｔａにおけるノーマル画像のバックライト輝度ＢＬ１より大きくなるようにコントロールする。第二の輝度インテグラルが第一の輝度インテグラルよりも大きくなるようにするためである。ノーマル画像Ｆ（Ｓ）の第一の輝度インテグラルよりもノイズ画像Ｆ（Ｎ）の第二の輝度インテグラルを大きくするために、非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２とノイズ照明インターバルｔｃにおけるバックライト輝度ＢＬ３を調整する。バックライト輝度ＢＬ２はバックライト輝度ＢＬ１よりも大きい。
【００４９】
図１９においては、第一の輝度インテグラルは、バックライト輝度ＢＬ１と全てのノーマル照明インターバルｔａの積に等しい、そして、第二の輝度インテグラルは、バックライト輝度ＢＬ２とノイズ照明インターバルｔｂの積にバックライト輝度ＢＬ１とノイズ照明インターバルｔｃの積にの合計に等しい。バックライト輝度ＢＬ２とノイズ照明インターバルｔｂの積にバックライト輝度ＢＬ１とノイズ照明インターバルｔｃの積にの合計が、バックライト輝度ＢＬ１とノーマル照明インターバルｔａの積よりも大きいために、第一の輝度インテグラルよりも大きい第二の輝度インテグラルが達成される。
＜第九の実施例＞
【００５０】
以下の記載は、図５および図２０に関するものである。図２０は、本発明の第九の実施例に従って、セキュリティディスプレイシステムのシグナルタイミングダイアグラムを示している。第九の実施例と第六の実施例との主な相違点は、非対称画像発生器１１４が、さらに、バックライトモジュール１１３２をコントロールして、ノイズ照明インターバルｔｃにおけるバックライト輝度ＢＬ３を調整することである。バックライト輝度ＢＬ２はバックライト輝度ＢＬ１よりも大きく、バックライト輝度ＢＬ１はバックライト輝度ＢＬ３よりも大きい。第九の実施例においては、ノーマル画像の表示周波数Ｆ（Ｓ）はノイズ画像の表示周波数Ｆ（Ｎ）よりも小さい；すなわち、眼鏡開期間Ｔｏｎはノーマル照明インターバルｔａを含み、眼鏡閉期間Ｔｏｆｆはノイズ照明インターバルｔｂとノイズ照明インターバルｔｃを含む。非対称画像発生器１１４は、ノイズ照明インターバルｔｂにおけるノイズ画像のバックライト輝度ＢＬ２をノーマル画像のバックライト輝度ＢＬ１より大きくなるようにコントロールし、ノイズ照明インターバルｔｃにおけるノイズ画像のバックライト輝度ＢＬ３をノーマル画像のバックライト輝度ＢＬ１より小さくなるようにコントロールする。第二の輝度インテグラルが第一の輝度インテグラルよりも大きくなるようにするためである。ノーマル画像Ｆ（Ｓ）の第一の輝度インテグラルよりもノイズ画像Ｆ（Ｎ）の第二の輝度インテグラルを大きくするために、非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２とノイズ照明インターバルｔｃにおけるバックライト輝度ＢＬ３を調整する。バックライト輝度ＢＬ２はバックライト輝度ＢＬ１よりも大きく、バックライト輝度ＢＬ１はバックライト輝度ＢＬ３よりも大きい。
【００５１】
図２０においては、第一の輝度インテグラルは、バックライト輝度ＢＬ１と全てのノーマル照明インターバルｔａの積に等しい、そして、第二の輝度インテグラルは、バックライト輝度ＢＬ２と全てのノイズ照明インターバルｔｂの積とバックライト輝度ＢＬ３と全てのノイズ照明インターバルｔｃの積との合計に等しい。バックライト輝度ＢＬ２と全てのノイズ照明インターバルｔｂの積とバックライト輝度ＢＬ３と全てのノイズ照明インターバルｔｃの積との合計が、バックライト輝度ＢＬ１とノーマル照明インターバルｔａの積よりも大きいために、第一の輝度インテグラルよりも大きい第二の輝度インテグラルが達成される。
＜第十の実施例＞
【００５２】
以下の記載は、図５および図２１に関するものである。図２１は、本発明の第十の実施例に従って、セキュリティディスプレイシステムのシグナルタイミングダイアグラムを示している。第十の実施例と第六の実施例との主な相違点は、ノイズ画像Ｆ（Ｎ）がサブノイズ画像Ｆ（ｎ１）からＦ（ｎＮ）を含んでおり、バックライト輝度ＢＬ２がバックライト輝度ＢＬ１よりも大きいことである。ノイズ照明インターバルｔｂは、サブノイズ画像Ｆ（ｎ１）からＦ（ｎＮ）の中にそれぞれ存在する。非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２を調整する。
【００５３】
図２１においては、第一の輝度インテグラルは、バックライト輝度ＢＬ１と全てのノーマル照明インターバルｔａの積に等しい、そして、第二の輝度インテグラルは、バックライト輝度ＢＬ２と全てのノイズ照明インターバルｔｂの積に等しい。バックライト輝度ＢＬ２と全てのノイズ照明インターバルｔｂの積が、バックライト輝度ＢＬ１とノーマル照明インターバルｔａの積よりも大きいために、第一の輝度インテグラルよりも大きい第二の輝度インテグラルが達成される。
＜第十一の実施例＞
【００５４】
以下の記載は、図５および図２２に関するものである。図２２は、本発明の第十一の実施例に従って、セキュリティディスプレイシステムのシグナルタイミングダイアグラムを示している。第十一の実施例と第六の実施例との主な相違点は、ノイズ画像Ｆ（Ｎ）がサブノイズ画像Ｆ（ｎ１）からＦ（ｎＮ）を含んでおり、バックライト輝度ＢＬ２がバックライト輝度ＢＬ１と等しいことである。ノイズ照明インターバルｔｂは、サブノイズ画像Ｆ（ｎ１）からＦ（ｎＮ）の中にそれぞれ存在する。非対称画像発生器１１４は、バックライトモジュール１１３２をコントロールして、ノーマル照明インターバルｔａにおけるバックライト輝度ＢＬ１とノイズ照明インターバルｔｂにおけるバックライト輝度ＢＬ２を調整する。
【００５５】
図２２においては、第一の輝度インテグラルは、バックライト輝度ＢＬ１とノーマル照明インターバルｔａの積に等しい、そして、第二の輝度インテグラルは、バックライト輝度ＢＬ２と全てのノイズ照明インターバルｔｂの積に等しい。バックライト輝度ＢＬ２と全てのノイズ照明インターバルｔｂの積が、バックライト輝度ＢＬ１とノーマル照明インターバルｔａの積よりも大きいために、第一の輝度インテグラルよりも大きい第二の輝度インテグラルが達成される。
＜第十二の実施例＞
【００５６】
以下の記載は、図５および図２３に関するものである。図２３は、本発明の第十二の実施例に従って、セキュリティディスプレイシステムのシグナルタイミングダイアグラムを示している。第十二の実施例と第九の実施例との主な相違点は、ノイズ画像Ｆ（Ｎ）がサブノイズ画像Ｆ（ｎ１）からＦ（ｎＮ）を含んでいることである。サブノイズ画像Ｆ（ｎ１）からＦ（ｎＮ）は、それぞれに、ノイズ照明インターバルｔｂとノイズ照明インターバルｔｃを含んでいる。非対称画像発生器１１４は、バックライトモジュール１１３２をコントロールして、ノーマル照明インターバルｔａにおけるバックライト輝度ＢＬ１、ノイズ照明インターバルｔｂにおけるバックライト輝度ＢＬ２、そしてノイズ照明インターバルｔｃにおけるバックライト輝度ＢＬ３を調整する。バックライト輝度ＢＬ２はバックライト輝度ＢＬ１より大きく、バックライト輝度ＢＬ１はバックライト輝度ＢＬ３より大きい。
【００５７】
図２３においては、第一の輝度インテグラルは、バックライト輝度ＢＬ１と全てのノーマル照明インターバルｔａの積に等しい、そして第二の輝度インテグラルは、バックライト輝度ＢＬ２と全てのノイズ照明インターバルｔｂの積とバックライト輝度ＢＬ３と全てのノイズ照明インターバルｔｃの積との合計に等しい。バックライト輝度ＢＬ２と全てのノイズ照明インターバルｔｂの積とバックライト輝度ＢＬ３と全てのノイズ照明インターバルｔｃの積との合計が、バックライト輝度ＢＬ１とノーマル照明インターバルｔａの積よりも大きいために、第一の輝度インテグラルよりも大きい第二の輝度インテグラルが達成される。
＜第十三の実施例＞
【００５８】
以下の記載は、図５および図２４に関するものである。図２４は、本発明の第十三の実施例に従って、ノーマル画像、ノイズ画像、そしてバックライトモジュールの模式図を示している。非対称画像発生器１１４は、異なったバックライト領域においては異なったバックライト輝度を生成するように、バックライトモジュール１１３２を部分的にコントロールすることができる。第十三の実施例と第四の実施例との主な相違点は、バックライトモジュール１１３２がバックライト領域１１３２ａとバックライト領域１１３２ｂを含んでおり、ノーマル画像Ｆ（Ｓ）がコレクト（ｃｏｒｒｅｃｔ）画像領域Ｆ（Ｓａ）とセキュリティ画像領域Ｆ（Ｓｂ）を含むことである。コレクト画像領域Ｆ（Ｓａ）とセキュリティ画像領域Ｆ（Ｓｂ）は、それぞれ、バックライト領域１１３２ａとバックライト領域１１３２ｂに対応している。ノーマル画像Ｆ（Ｓ）を表示しているときは、非対称画像発生器１１４は、バックライト領域１１３２ａとバックライト領域１１３２ｂをコントロールしてバックライト輝度ＢＬ１を調整する。ノイズ画像Ｆ（Ｎ）を表示しているときは、非対称画像発生器１１４は、バックライト領域１１３２ａをコントロールしてバックライト輝度ＢＬ１を調整し、バックライト領域１１３２ｂをコントロールしてバックライト輝度ＢＬ２を調整する。バックライト輝度ＢＬ２はバックライト輝度ＢＬ１より大きい。
＜第十四の実施例＞
【００５９】
以下の記載は、図５および図２５に関するものである。図２５は、本発明の第十四の実施例に従って、ノーマル画像、ノイズ画像、そしてバックライトモジュールの模式図を示している。第十四の実施例と第四の実施例との主な相違点は、バックライトモジュール１１３２がバックライト領域１１３２ｃとバックライト領域１１３２ｄを含んでおり、ノーマル画像Ｆ（Ｓ）がコレクト画像領域Ｆ（Ｓａ）とセキュリティ画像領域Ｆ（Ｓｂ）を含むことである。コレクト画像領域Ｆ（Ｓａ）とセキュリティ画像領域Ｆ（Ｓｂ）は、それぞれ、バックライト領域１１３２ｃとバックライト領域１１３２ｄに対応している。ノーマル画像Ｆ（Ｓ）を表示しているときは、非対称画像発生器１１４は、バックライト領域１１３２ｃとバックライト領域１１３２ｄをコントロールしてバックライト輝度ＢＬ１を調整する。ノイズ画像Ｆ（Ｎ）を表示しているときは、非対称画像発生器１１４は、バックライト領域１１３２ｃをコントロールしてバックライト輝度ＢＬ１を調整し、バックライト領域１１３２ｄをコントロールしてバックライト輝度ＢＬ２を調整する。バックライト輝度ＢＬ２はバックライト輝度ＢＬ１より大きい。
＜第十五の実施例＞
【００６０】
以下の記載は、図５および図２６に関するものである。図２６は、本発明の第十五の実施例に従って、ピクセル構造（ｐｉｘｅｌ  ｓｔｒｕｃｔｕｒｅ）の模式図を示している。第一の輝度インテグラルを第二の輝度インテグラルよりも大きくするための前述のアプローチとは別に、第四色のサブピクセル（ｆｏｒｔｈ−ｃｏｌｏｒ  ｓｕｂ−ｐｉｘｅｌ）が付加されたピクセル構造を通じて、ノイズ画像の輝度は増加され得るし、ノーマル画像の輝度は減少され得る。例えば、パネル１１３１は複数のピクセルを有している。図２６において、ピクセル１３１１ａが一つの例として捉えられる。ピクセル１３１１ａは、第一色のサブピクセル１３１１Ｒ、第二色のサブピクセル１３１１Ｇ、第三色のサブピクセル１３１１Ｂ、そして第四色のサブピクセルＷを含んでいる。第四色のサブピクセルＷは、第一色のサブピクセル１３１１Ｒ、第二色のサブピクセル１３１１Ｇ、そして第三色のサブピクセル１３１１Ｂに隣接している。
【００６１】
例えば、第一色のサブピクセル１３１１Ｒ、第二色のサブピクセル１３１１Ｇ、そして第三色のサブピクセル１３１１Ｂは、それぞれ、赤サブピクセル、緑サブピクセル、そして青サブピクセルであり、第四色のサブピクセルＷは、白サブピクセルまたは黄サブピクセルである。  第四色のサブピクセルは、パネル１１３１により表示されたノーマル画像Ｆ（Ｓ）向けよりも大きな、パネル１１３１により表示されたノイズ画像Ｆ（Ｎ）向けの透過力（ｐｅｎｅｔｒａｔｉｏｎ  ｐｏｗｅｒ）を提供する。例えば、第四色のサブピクセルＷは、ノーマル画像Ｆ（Ｓ）が表示されるときは黒ドット（ｄｏｔ）として表れ、ノイズ画像Ｆ（Ｎ）が表示されるときは白ドットとして表れる。第四色のサブピクセルＷが、ノーマル画像Ｆ（Ｓ）が表示されるときは黒ドット（ｄｏｔ）として表れ、ノイズ画像Ｆ（Ｎ）が表示されるときは白ドットとして表れるので、ノイズ画像Ｆ（Ｎ）の透過力はノーマル画像Ｆ（Ｓ）の透過力より大きく、そして第一の輝度インテグラルよりも大きい第二の輝度インテグラルが達成される。
＜第十六の実施例＞
【００６２】
以下の記載は、図５および図２７に関するものである。図２７は、本発明の第十六の実施例に従って、ピクセル構造の模式図を示している。パネル１１３１は複数のピクセルを有している。図２７において、ピクセル１３１１ｂが一つの例として捉えられる。ピクセル１３１１ｂは、第一色のサブピクセル１３１１Ｒ、第二色のサブピクセル１３１１Ｇ、第三色のサブピクセル１３１１Ｂ、そして第四色のサブピクセルＷを含んでいる。第四色のサブピクセルＷは、第一色のサブピクセル１３１１Ｒ、第二色のサブピクセル１３１１Ｇ、そして第三色のサブピクセル１３１１Ｂに隣接している。
【００６３】
例えば、第一色のサブピクセル１３１１Ｒ、第二色のサブピクセル１３１１Ｇ、そして第三色のサブピクセル１３１１Ｂは、それぞれ、赤サブピクセル、緑サブピクセル、そして青サブピクセルであり、第四色のサブピクセルＷは、白サブピクセルまたは黄サブピクセルである。  第四色のサブピクセルは、パネル１１３１により表示されたノーマル画像Ｆ（Ｓ）向けよりも大きな、パネル１１３１により表示されたノイズ画像Ｆ（Ｎ）向けの透過力を提供する。例えば、第四色のサブピクセルＷは、ノーマル画像Ｆ（Ｓ）が表示されるときは黒ドットとして表れ、ノイズ画像Ｆ（Ｎ）が表示されるときは白ドットとして表れる。第四色のサブピクセルＷが、ノーマル画像Ｆ（Ｓ）が表示されるときは黒ドット（ｄｏｔ）として表れ、ノイズ画像Ｆ（Ｎ）が表示されるときは白ドットとして表れるので、ノイズ画像Ｆ（Ｎ）の透過力はノーマル画像Ｆ（Ｓ）の透過力より大きく、そして第一の輝度インテグラルよりも大きい第二の輝度インテグラルが達成される。
【００６４】
第一色のサブピクセル１３１１Ｒ、第二色のサブピクセル１３１１Ｇ、第三色のサブピクセル１３１１Ｂ、そして第四色のサブピクセルＷは、異なった構成に配置され得ることに留意すべきである。図２６および図２７に関して記載された例は、説明目的のものであり、本発明を限定するものではない。本発明の精神および範囲から逸脱することなく、記載された実施例について種々の変更がなされ得る。
＜第十七の実施例＞
【００６５】
以下の記載は、図５および図２８に関するものである。図２８は、本発明の第十七の実施例に従って、画像フィルターの模式図を示している。非対称画像発生器１１４は、さらに、例えば水平フィルターまたは垂直フィルターといった、グリッドフィルター（ｇｒｉｄ  ｆｉｌｔｅｒ）である画像フィルター１１４１を含んでいる。ノーマル画像信号Ｓ１からＳｎは、画像フィルター１１４１を通過した後で、フィルターされたノーマル画像を表示するためにパネル１１３１に対して出力される。それにより、ノーマル画像信号Ｓはフィルター１１４１よってフィルターされ、パネル１１３１により表示されるノーマル画像の全般的な輝度は減少される。第一の輝度インテグラルよりも大きい第二の輝度インテグラルを達成するためである。
【００６６】
図２８および図３２に関して、図３２は、フィルターによって偶数列のディスプレイライン（ｄｉｓｐｌａｙ  ｌｉｎｅ）を取り除いた後に表示される画像の模式図を示している。例えば、もし画像フィルター１１４１が垂直フィルターであるなら、図３２に示すように、ノーマル画像の偶数列のディスプレイライン３２０が画像フィルター１１４１により取り除かれ、奇数列のディスプレイライン３１０のみをパネル１１３１に表示する。図３２においては、偶数列のディスプレイライン３２０をフィルターすることが例として説明に使われたが、画像フィルター１１４１は、ノーマル画像の奇数列のディスプレイライン３１０を取り除き、偶数列のディスプレイライン３２０のみをパネル１１３１に表示し得ることにも留意すべきである。
【００６７】
図２８および図３３に関して、図３３は、フィルターによって偶数行のディスプレイラインを取り除いた後に表示される画像の模式図を示している。例えば、もし画像フィルター１１４１が水平フィルターであるなら、図３３に示すように、ノーマル画像の偶数行のディスプレイライン３４０が画像フィルター１１４１により取り除かれ、奇数行のディスプレイライン３３０のみをパネル１１３１に表示する。図３３においては、偶数行のディスプレイライン３４０をフィルターすることが例として説明に使われたが、画像フィルター１１４１は、ノーマル画像の奇数行のディスプレイライン３３０を取り除き、偶数列のディスプレイライン３４０のみをパネル１１３１に表示し得ることにも留意すべきである。
＜第十八の実施例＞
【００６８】
以下の記載は、図５および図２９に関するものである。図２９は、本発明の第十八の実施例に従って、ノイズ画像信号の調整に係る模式図を示している。非対称画像発生器１１４は、さらに、リファレンス値Ｘ（例えば、ある既定の値）に応じてノイズ画像信号を調整し、ノイズ画像を表示するためにパネル１１３１に対して調整されたノイズ画像信号を出力する。例えば、ノイズ画像信号は、赤入力サブピクセル値Ｒｉ、緑入力サブピクセル値Ｇｉ、そして青入力サブピクセル値Ｂｉを含んでおり、それぞれは、赤出力サブピクセル値Ｒｏ、緑出力サブピクセル値Ｇｏ、そして青出力サブピクセル値Ｂｏに対応している。ここで、
【数１】
2012252331.tif 000003
、である。
図２９は、グレイスケール（ｇｒａｙｓｃａｌｅ）と未調整のノイズ画像の間の相関曲線５１と、グレイスケールと調整済のノイズ画像の間の相関曲線５２を示している。調整済のノイズ画像は全般的な輝度を増加できることにより、第一の輝度インテグラルよりも大きい第二の輝度インテグラルが達成される。
【００６９】
図５および図３４に関して、図３４は、本発明の第十八の実施例に従って、別のノイズ画像信号の調整に係る模式図を示している。図２９においては、相関曲線５１と５２に対しての同じ最大輝度が、本発明を限定するものではなく、一例として捉えられている。それはすなわち、別の実施例においては、異なった最大輝度を有する相関曲線にも適用できるということである。例えば、図３４において、相関曲線５３の最大輝度はＹ１であるが、相関曲線５４の最大輝度はＹ２である。図２９と図３４に示された両方の例においても、相関曲線を調整することを通じて、第一の輝度インテグラルよりも大きい第二の輝度インテグラルが達成される。
＜第十九の実施例＞
【００７０】
以下の記載は、図５および図３５に関するものである。図３５は、本発明の第十九の実施例に従って、セキュリティディスプレイシステムのシグナルタイミングダイアグラムを示している。第十九の実施例と第二の実施例との主な相違点は、第十九の実施例においては、数人のユーザーが対応するノーマル画像をそれぞれに観察することができることである。より詳細には、ノーマル画像Ｆ（Ｓ１）からＦ（Ｓｎ）が、ｎ人のユーザーによりそれぞれ観察することができる。例として、異なったノーマル画像が異なったユーザーによって観察される。例えば、第一のユーザーはノーマル画像Ｆ（Ｓ１）を観察することができ、第二のユーザーはノーマル画像Ｆ（Ｓ２）を観察することができる、そしてｎ番めのユーザーはノーマル画像Ｆ（Ｓｎ）を観察することができる。
【００７１】
第一のユーザーにとっては、第十九の実施例における眼鏡開期間Ｔｏｎはノーマル照明インターバルｔａ１を含んでおり、眼鏡閉期間Ｔｏｆｆはノーマル照明インターバルｔａ２からｔａｎとノイズ照明インターバルｔｂを含んでいる。非対称画像発生器１１４は、ノイズ画像の表示期間をコントロールしてノーマル画像の表示期間よりも長くなるようにする。第二の輝度インテグラルを第一の輝度インテグラルより大きくするためである。ノーマル画像の表示期間よりもノイズ画像の表示期間を大きくするために、非対称画像発生器１１４は、バックライトモジュール１１３２をコントロールして、ノーマル照明インターバルｔａとノイズ照明インターバルｔｂにおけるバックライト輝度ＢＬ１を調整する。そして、ノーマル照明インターバルｔａ２からｔａｎとノイズ照明インターバルｔｂの合計は、ノーマル照明インターバルｔａ１より大きくなる。
【００７２】
図３５においては、第一の輝度インテグラルは、バックライト輝度ＢＬ１とノーマル照明インターバルｔａ１の積に等しい、そして第二の輝度インテグラルは、バックライト輝度ＢＬ１とノイズ照明インターバルｔｂの積とバックライト輝度ＢＬ１とノーマル照明インターバルｔａ２からｔａｎの積と
合計に等しい。ノイズ照明インターバルｔｂとノーマル照明インターバルｔａ２からｔａｎの合計が、ノーマル照明インターバルｔａ１よりも大きいために、第一の輝度インテグラルよりも大きい第二の輝度インテグラルが達成される。
【００７３】
本発明は、例として記載され、望ましい実施例に関して記載されてきたが、本発明はこれらに限定されるものではないことが理解されるべきである。反対に、種々の変更や類似の構成および工程を含むことが意図されている。それ故、付け加えられた特許請求の範囲は、全てのこうした変更や類似の構成および工程を包含するように最も広く解釈されるべきである。
【図１】
2012252331.tif 000004
【図２】
2012252331.tif 000005
【図３】
2012252331.tif 000006
【図４】
2012252331.tif 000007
【図５】
2012252331.tif 000008
【図６】
2012252331.tif 000009
【図７】
2012252331.tif 000010
【図８】
2012252331.tif 000011
【図９】
2012252331.tif 000012
【図１０】
2012252331.tif 000013
【図１１】
2012252331.tif 000014
【図１２】
2012252331.tif 000015
【図１３】
2012252331.tif 000016
【図１４】
2012252331.tif 000017
【図１５】
2012252331.tif 000018
【図１６】
2012252331.tif 000019
【図１７】
2012252331.tif 000020
【図１８】
2012252331.tif 000021
【図１９】
2012252331.tif 000022
【図２０】
2012252331.tif 000023
【図２１】
2012252331.tif 000024
【図２２】
2012252331.tif 000025
【図２３】
2012252331.tif 000026
【図２４】
2012252331.tif 000027
【図２５】
2012252331.tif 000028
【図２６】
2012252331.tif 000029
【図２７】
2012252331.tif 000030
【図２８】
2012252331.tif 000031
【図２９】
2012252331.tif 000032
【図３０】
2012252331.tif 000033
【図３１】
2012252331.tif 000034
【図３２】
2012252331.tif 000035
【図３３】
2012252331.tif 000036
【図３４】
2012252331.tif 000037
【図３５】
2012252331.tif 000038
【外国語明細書】
2012252331000001.pdf